【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
ワイヤレスユーザ装備（ＵＥ）装置（１０２）によるネットワーク選択を加速するための方法であって、該方法は、
第１のローカルデータベース構造（８００Ｂ）において提供された無線アクセス技術ごとの基準で識別される帯域において該ワイヤレスＵＥ装置（１０２）によってスキャンすること（９０２）と、
該スキャンすることを介して少なくとも１つのネットワークを発見する（９０２）と、該少なくとも１つのネットワークの識別情報を復号すること（９０４）であって、該識別情報は、相互接続された配置に配置されたワイヤレスサービスネットワーク（２１２−１〜２１２−３）、ワイヤレスコアネットワーク（２１０−１〜２１０−３）および無線アクセスネットワーク（２０８−１〜２０８−３）のうちの少なくとも１つに対応する識別コードの組み合せを含む、ことと、
該復号された識別情報に基づいて、第２のローカルデータベース構造（８００Ｅ）に問い合わせすることにより、該ワイヤレスＵＥ装置（１０２）による選択的スキャニング（９０６）のための適切な周波数データのサブセットを決定すること（９０４）であって、それによって、ネットワークを探し出すための全帯域スキャンを回避する、ことと
を包含する、方法。
【請求項２】
前記選択的スキャニング（９０６）は、初期スキャン手順およびバックグラウンドスキャン手順のうちの１つにおいて実行される、請求項１に記載のワイヤレスＵＥ装置（１０２）によるネットワーク選択を加速するための方法。
【請求項３】
前記選択的スキャニング（９０６）は、始動すると、または、前記ワイヤレスＵＥ装置（１０２）が以前に登録されていたネットワークの範囲を離れると、実行される、請求項１または請求項２に記載のワイヤレスＵＥ装置（１０２）によるネットワーク選択を加速するための方法。
【請求項４】
前記少なくとも１つのネットワークの識別情報は、復号され（９０４）て、前記ワイヤレスＵＥ装置の位置に関する地理的領域情報を生成する、請求項１、請求項２または請求項３に記載のワイヤレスＵＥ装置（１０２）によるネットワーク選択を加速するための方法。
【請求項５】
選択的スキャニング（９０６）を介して前記ワイヤレスＵＥ装置（１０２）によって複数のネットワークが探し出される場合、サービスに対して特定のネットワークを選択する（９１０）ための優先順位スキームを適用すること（９０８）をさらに包含する、請求項１、請求項２、請求項３、請求項４のいずれか一項に記載のワイヤレスＵＥ装置（１０２）によるネットワーク選択を加速するための方法。
【請求項６】
選択的スキャニング（９０６）を介して前記ワイヤレスＵＥ装置（１０２）によって複数のネットワークが探し出される場合、サービスに対して特定のネットワークを手動で選択すること（９１０）をさらに包含する、請求項１、請求項２、請求項３、請求項４のいずれか一項に記載のワイヤレスＵＥ装置（１０２）によるネットワーク選択を加速するための方法。
【請求項７】
ワイヤレスユーザ装備（ＵＥ）装置（１０２）であって、
該ワイヤレスＵＥ装置は、
第１のローカルデータベース構造（８００Ｂ）において提供された無線アクセス技術ごとの基準で識別される帯域において該ワイヤレスＵＥ装置（１０２）によってスキャンする（９０２）手段と、
該スキャンすることを介して少なくとも１つのネットワークを発見すること（９０２）に応答するように動作可能であり、該少なくとも１つのネットワークの識別情報を復号する（９０４）手段であって、該識別情報は、相互接続された配置に配置されたワイヤレスサービスネットワーク（２１２−１〜２１２−３）、ワイヤレスコアネットワーク（２１０−１〜２１０−３）および無線アクセスネットワーク（２０８−１〜２０８−３）のうちの少なくとも１つに対応する識別コードの組み合せを含む、手段と、
該復号された識別情報に基づいて、第２のローカルデータベース構造（８００Ｅ）に問い合わせすることにより、該復号された識別情報に依存して適切な周波数データのサブセットを決定する（９０４）手段であって、該適切な周波数データのサブセットは、該ワイヤレスＵＥ装置（１０２）による選択的スキャニング（９０６）を容易にし、それによって、ネットワークを探し出すための全帯域スキャンを回避する、手段と
を備える、ワイヤレスＵＥ装置。
【請求項８】
ワイヤレスユーザ装備（ＵＥ）装置（１０２）によるネットワーク選択を加速するための方法であって、該方法は、
複数の期待される目的地を受信すること（１２５０）と、
該複数の期待される目的地をホームネットワークに送信したことに応答して、該複数の期待される目的地の各々に関連した周波数データを受信すること（１２５２、１２５４）と
を包含する、方法。
【請求項９】
前記ＵＥ装置が前記複数の期待される目的地のうちの所与の１つにあるという通知を受信したことに応答して、該所与の１つの期待される目的地に関連した周波数データを用いることにより、サービスを取得するための特定された周波数で特定のネットワークを選択する、請求項８に記載のワイヤレスＵＥ装置（１０２）によるネットワーク選択を加速するための方法。
【請求項１０】
前記通知は、手動で受信される、請求項９に記載のワイヤレスＵＥ装置（１０２）によるネットワーク選択を加速するための方法。
【請求項１１】
前記通知は、時間とイベントとの組み合せから決定される、請求項９に記載のワイヤレスＵＥ装置（１０２）によるネットワーク選択を加速するための方法。
【請求項１２】
前記複数の期待される目的地の各々は、国名および国コードのうちの少なくとも１つを含む、請求項８〜１１のいずれか一項に記載のワイヤレスＵＥ装置（１０２）によるネットワーク選択を加速するための方法。
【請求項１３】
ワイヤレスユーザ装備（ＵＥ）装置（１０２）であって、
該ワイヤレスＵＥ装置は、
送信器／受信器モジュール（１３０４）と、
該送信器／受信器モジュール（１３０４）に接続されたプロセッサ（１３０２）と、
記憶装置モジュール（１３３０、１３３５）と、
複数の期待される目的地を受信する手段（１３１８〜１３２８）と、
該複数の期待される目的地の各々に関連した周波数データを受信する手段（１０３４）と
を備える、ワイヤレスＵＥ装置。
【請求項１４】
前記ワイヤレスＵＥ装置（１０２）が前記複数の期待される目的地のうちの所与の１つの目的地にあるという通知を受信したことに応答して、該複数の期待される目的地のうちの該所与の１つの目的地に関連した周波数データを用いることにより、サービスを取得するための特定された周波数で特定のネットワークを選択する手段をさらに備える、請求項１３に記載のワイヤレスＵＥ装置（１０２）。
【請求項１５】
前記通知は、手動で受信される、請求項１４に記載のワイヤレスＵＥ装置（１０２）。
【請求項１６】
前記通知は、時間とイベントとの組み合せから決定される、請求項１４に記載のワイヤレスＵＥ装置（１０２）。
【請求項１７】
前記通知を受信することは、国名および国コードのうちの少なくとも１つを受信することを含む、請求項１４〜１６のいずれか一項に記載のワイヤレスユーザ装備（ＵＥ）装置（１０２）。
【請求項１８】
ワイヤレスユーザ装備装置（１０２）によるネットワーク選択を加速するための方法であって、該方法は、
位置情報をホームネットワークノードに送信すること（１００６）と、
該ホームネットワークノードから適切なネットワークリスト情報および関連した周波数データを受信すること（１０１０）であって、該ネットワークリスト情報は、アクセスネットワークのコアネットワークおよびサービスネットワークのうちの少なくとも１つとの組み合わせを含むネットワークＩＤを含む、ことと、
該適切なネットワークリスト情報および関連した周波数データのうちの少なくとも１つを用いて、ネットワークを探し出すことと
を包含する、方法。
【請求項１９】
前記ネットワークを探し出すことは、初期スキャン手順およびバックグラウンドスキャン手順のうちの１つにおいて選択的スキャニング（１０１２）をすることを包含する、請求項１８に記載のワイヤレスユーザ装備装置（１０２）によるネットワーク選択を加速するための方法。
【請求項２０】
前記選択的スキャニング（１０１２）は、始動すると、または、前記ワイヤレスユーザ装備装置（１０２）が以前に登録されていたネットワークの範囲を離れると、実行される、請求項１９に記載のワイヤレスユーザ装備装置（１０２）によるネットワーク選択を加速するための方法。
【請求項２１】
前記適切なネットワークリスト情報は、選好アクセスネットワーク、選好ビジテッドパブリック陸上移動体ネットワークおよび禁止されたビジテッドパブリック陸上移動体ネットワークを含む、請求項１８、請求項１９、請求項２０のいずれか一項に記載のワイヤレスユーザ装備装置（１０２）によるネットワーク選択を加速するための方法。
【請求項２２】
前記適切なネットワークリスト情報は、選好ビジテッド移動体仮想ネットワークオペレータおよび禁止されたビジテッド移動体仮想ネットワークオペレータを含む、請求項１８、請求項１９、請求項２０のいずれか一項に記載のワイヤレスユーザ装備装置（１０２）によるネットワーク選択を加速するための方法。
【請求項２３】
請求項１８〜２２のいずれか一項に記載の方法をインプリメントするように構成されたワイヤレスユーザ装備装置（１０２、１３００）。
【請求項２４】
ワイヤレス装置（１０２）に結合されるように動作可能な着脱可能記憶装置モジュール（ＲＳＭ）（２１４）であって、
該ＲＳＭは、
複数のネットワーク識別子を含むデータベース構造（８００Ｅ）であって、各ネットワーク識別子は、該ワイヤレス装置（１０２）にダウンロードされるように動作可能な対応する周波数データアイテムに関連する、データベース構造（８００Ｅ）と、
該ワイヤレス装置（１０２）から特定のネットワーク識別子を受信したことに応答して、特定の周波数データアイテムを該ワイヤレス装置（１０２）にダウンロードするように実行可能なロジックアプリケーションであって、該特定の周波数データアイテムは、該ワイヤレス装置のスキャニング動作を変えることによりネットワーク選択を加速するためのものである、ロジックアプリケーションと
を備える、ＲＳＭ。
【請求項２５】
前記特定の周波数データアイテムは、周波数帯域と、特定の周波数チャネルと、前記ワイヤレス装置（１０２）によるスキャニングが可能な周波数の範囲とのうちの１つを含む、請求項２４に記載のワイヤレス装置（１０２）に結合されるように動作可能なＲＳＭ（２１４）。
【請求項２６】
前記特定の周波数データアイテムは、周波数帯域と、特定の周波数チャネルと、前記ワイヤレス装置（１０２）によるスキャニングが禁止される周波数の範囲とのうちの１つを含む、請求項２４に記載のワイヤレス装置（１０２）に結合されるように動作可能なＲＳＭ（２１４）。
【請求項２７】
前記ワイヤレス装置（１０２）にダウンロードされるように動作可能な１つ以上のＰＬＭＮリストを含む少なくとも１つの追加的なデータベース構造をさらに備える、請求項２４、請求項２５、請求項２６のいずれか一項に記載のワイヤレス装置（１０２）に結合されるように動作可能なＲＳＭ（２１４）。
【請求項２８】
前記ワイヤレス装置（１０２）にダウンロードされるように動作可能な１つ以上のＷＬＡＮリストを含む少なくとも１つの追加的なデータベース構造をさらに備える、請求項２４、請求項２５、請求項２６、請求項２７のいずれか一項に記載のワイヤレス装置（１０２）に結合されるように動作可能なＲＳＭ（２１４）。
【請求項２９】
ワイヤレス装置（１０２）に結合される着脱可能記憶装置モジュール（ＲＳＭ）（２１４）からの情報の転送を容易にする方法であって、該方法は、
該ワイヤレス装置（１０２）からネットワーク識別子を受信することと、
該ネットワーク識別子を受信したことに応答して、ネットワーク選択を加速することに関して該ワイヤレス装置のスキャニング動作を変えるためのものである特定の周波数データアイテムを該ワイヤレス装置（１０２）にダウンロードすることであって、該特定の周波数データアイテムは、複数のネットワーク識別子を含むデータベース構造からのものであり、該複数のネットワーク識別子の各々は、対応する周波数データアイテムに関連する、ことと
を包含する、方法。
【請求項３０】
前記特定の周波数データアイテムは、１つ以上の周波数帯域か、１つ以上の特定の周波数チャネルか、前記ワイヤレス装置（１０２）によるスキャニングが可能な周波数の範囲かを含む、請求項２９に記載の方法。
【請求項３１】
前記特定の周波数データアイテムは、１つ以上の周波数帯域か、１つ以上の特定の周波数チャネルか、前記ワイヤレス装置（１０２）によるスキャニングが禁止される周波数の範囲かを含む、請求項２９に記載の方法。
【請求項３２】
前記特定の周波数データアイテムは、１つ以上の周波数帯域か、１つ以上の特定の周波数チャネルか、少なくとも１つの広域セル式ネットワークとともに動作可能な周波数の範囲かを含む、請求項２９に記載の方法。
【請求項３３】
前記特定の周波数データアイテムは、１つ以上の周波数帯域か、１つ以上の特定の周波数チャネルか、少なくとも１つのワイヤレスローカルエリアネットワークとともに動作可能な周波数の範囲かを含む、請求項２９に記載の方法。